(57)【特許請求の範囲】
【請求項１】
回転電機の回転軸に設けられたスリップリングの外周面に摺接するブラシ、このブラシをスプリングを介して保持するブラシホルダ、このブラシホルダに組付けられて前記ブラシホルダとともに前記スリップリングの外周を筒状に覆うスリップリングカバー等から成ると共に軸方向後端部が塞がれた構造を有するブラシ組体を前記スリップリングの外周に組付ける際に使用するものであり、前記ブラシ組体を前記スリップリングの外周に組付ける前に、予め前記ブラシホルダと前記スリップリングカバーとから形成される空間部に挿入されて前記ブラシの飛び出しを防止するブラシサポート治具において、
前記ブラシ組体の軸方向後端部に設けられた孔に貫通する略ピン形の形状であり且つ前記ブラシの先端面と前記スリップリングの外周面との間に配置されるように構成されると共に、少なくとも前記スリップリングに対向する面をそのスリップリングよりも硬度の低い材質により構成したことを特徴とするブラシサポート治具。
【請求項２】
前記ブラシ組体の軸方向前後両端部のみにおいて前記ブラシの付勢力に抗して支持されることを特徴とする請求項１に記載のブラシサポート治具。
【請求項３】
前記第１の部材と、
その第１の部材及びスリップリングよりも硬度の低い材質からなる第２の部材とからなり、
その第２の部材は、前記第１の部材の少なくとも前記スリップリングに対向する面を覆うように設けられたことを特徴とする請求項１又は２に記載のブラシサポート治具。
【請求項４】
前記第１の部材は、金属材料からなり、
前記第２の部材は、樹脂材料又はゴム材料からなることを特徴とする請求項３に記載のブラシサポート治具。
【請求項５】
前記略ピン形状の先端部がＲ形状に形成されていることを特徴とする請求項１乃至４のいずれかに記載のブラシサポート治具。
【請求項６】
金属材料からなる線材又は板材の先端部をＲ形状に形成するとともに、その線材又は板材上に樹脂材料又はゴム材料をコーティングしたものであることを特徴とする請求項５に記載のブラシサポート治具。
【請求項７】
前記ブラシホルダ又は前記スリップリングカバーにて軸方向と平行に同軸的に形成された複数の支持部により支持されるように構成されたことを特徴とする請求項１乃至６のいずれかに記載のブラシサポート治具。
【請求項８】
前記ブラシ組体への挿入量を規制する規制部材を備えたことを特徴とする請求項１乃至７のいずれかに記載のブラシサポート治具。
【請求項９】
請求項１乃至８のいずれかに記載のブラシサポート治具を用いて前記ブラシ組体を前記スリップリングの外周に組付ける方法であって、
前記スプリングの付勢力に抗して前記ブラシを押さえながら、前記ブラシ組体における前記ブラシホルダと前記スリップリングカバーとにより形成される空間部に前記ブラシサポート治具を挿入する工程と、
前記ブラシ組体を前記スリップリングの外周に配置する工程と、
前記ブラシサポート治具を前記ブラシ組体から引き抜いて前記ブラシを前記スリップリングの外周面に当接させる工程と
を備えたことを特徴とする回転電機のブラシ組体の組付け方法。
【発明の詳細な説明】
【０００１】
【発明の属する技術分野】
本発明は、回転電機のブラシ組体を組付ける際に使用するブラシサポート治具、およびこのブラシサポート治具を用いたブラシ組体の組付け方法に関する。
【０００２】
【従来の技術】
車両用交流発電機等の回転電機には、ブラシを保持するブラシホルダと、このブラシホルダに組付けられてブラシホルダとともにスリップリングの外周を筒状に覆うスリップリングカバーからなるブラシ組体を使用したものがある。そして、スリップリングに傷があると異音の発生やブラシの寿命低下の原因となるため、ブラシ組体を組付ける際にはスリップリングに傷を付けないようにする必要がある。
【０００３】
従来より、スリップリングに傷を付けることなくブラシ組体を組付けるために、種々のブラシサポート治具が用いられている。
【０００４】
例えば、図６に示すように、ブラシ組体をスリップリング１３４，１３５の外周に組付ける前に、予めブラシホルダ１２７内にピン形状のブラシサポート治具１５１を挿入して、スプリング１４４，１４５により付勢されるブラシ１２８，１２９の飛び出しを防止するようにした構造のものが知られている。この従来例では、直径２ｍｍ程度の鉄等の硬い材質の線材等を用いてピン形状のブラシサポート治具１５１を構成し、且つ、ブラシサポート治具１５１とスリップリング１３４，１３５との距離を十分に大きく（例えば、３ｍｍ程度）確保しつつ挿入され、ブラシサポート治具１５１がスリップリング１３４，１３５に絶対に当接しないようにすることにより、スリップリング１３４，１３５に傷を付けることを防止する構造となっている。また、ピン形状のブラシサポート治具１５１は、ブラシホルダ１２７中央に組み込まれた金具１２７ａとリア側フレーム１０２に設けられた孔１０２ａとを支持点として支持される構造となっている。
【０００５】
また、特開昭６３−３１０３４９号公報には、ブラシに孔を設けてピン形状のブラシサポート治具を挿通させ、ブラシホルダ端部の孔とリア側フレームに設けられた孔を支持点としてブラシサポート治具を支持することによりブラシの飛出しを防止するようにする構造のものが記載されている。この従来例は、ピン形状のブラシサポート治具が傾いても、ブラシがスリップリングに当接することが防止されるという効果を奏するものである。
【０００６】
さらに、特開平９−１１７１１０号公報には、ブラシホルダとスリップリングカバーとで形成される筒部の内周に嵌合する円筒形状のブラシサポート治具が提案されている。
【０００７】
【発明が解決しようとする課題】
しかしながら、図６に示す従来構造のものでは、ピン形状のブラシサポート治具の外径が太く、さらに、スリップリングとの距離が大きい構造であるため、ブラシ組体が大型にならざるを得ないという問題がある。すなわち、ブラシサポート治具とスリップリングとの距離を小さくすると硬い材質のブラシサポート治具がスリップリングに当接してスリップリングを傷つけてしまうからである。そのため、近年の小型化要求に対応できないという問題があった。
【０００８】
また、特開昭６３−３１０３４９号公報に記載された従来構造のものでは、ブラシに孔を設けることによりブラシの寿命が低下するので、これを考慮してブラシの長さを長く設定する必要がある。このため、ブラシ組体が大型な構造となり、近年の小型化要求に対応できないという問題があった。
【０００９】
一方、特開平９−１１７１１０号公報に記載された従来構造のものでは、ブラシ組体のスリップリング端部側に大きな開放部を設ける必要があり、この開放部をシールゴムにより塞ぐ必要がある。そして、リヤカバーやスリップリングカバー等構成部品の形状のばらつきにより、スリップリングカバーの縁部にシールゴムを均等に押圧できず、安定したシール性を得ることができないという問題があった。さらに、シールゴムを弾性変形させるため、シールゴムに形成される通風路面積が減少し、スリップリング及びブラシの摺接部の冷却風が不足するという問題点もあった。
【００１０】
本発明は、上述した問題点に鑑み、スリップリングに当接しても傷を付けることなくブラシ組体の組付けが可能なブラシサポート治具及びそのブラシサポート治具を用いたブラシ組体の組付け方法を提供することを解決すべき課題とする。
【００１１】
【課題を解決するための手段】
この目的を達成するために、請求項１に記載のブラシサポート治具は、回転電機の回転軸に設けられたスリップリングの外周面に摺接するブラシ、このブラシをスプリングを介して保持するブラシホルダ、このブラシホルダに組付けられて前記ブラシホルダとともに前記スリップリングの外周を筒状に覆うスリップリングカバー等から成ると共に軸方向後端部が塞がれた構造を有するブラシ組体を前記スリップリングの外周に組付ける際に使用するものであり、前記ブラシ組体を前記スリップリングの外周に組付ける前に、予め前記ブラシホルダと前記スリップリングカバーとから形成される空間部に挿入されて前記ブラシの飛び出しを防止するブラシサポート治具において、
前記ブラシ組体の軸方向後端部に設けられた孔に貫通する略ピン形の形状であり且つ前記ブラシの先端面と前記スリップリングの外周面との間に配置されるように構成されると共に、少なくとも前記スリップリングに対向する面をそのスリップリングよりも硬度の低い材質により構成したことを特徴とする。
【００１２】
従って、ブラシサポート治具は、ブラシ組体の軸方向後端部に設けられた孔に貫通する略ピン形の形状であり且つブラシの先端面とスリップリングの外周面との間に配置されるように構成され、前記孔にブラシサポート治具を挿通してブラシを保持するため、簡単な構造で確実にブラシの飛出しを防止でき、且つ安価に製造することができる。また、ブラシサポート治具を円筒状に形成した場合のように、ブラシ組体のスリップリング後方側端面を大きく開放させる必要が無いため、開放部を塞ぐためのシールゴムが不要となり、シールゴムとの間に隙間が形成される等の不具合が無く、安定したシール性を得ることができる。また、ブラシサポート治具の少なくともスリップリングに対向する面をそのスリップリングよりも硬度の低い材質により構成したので、ブラシ組体の組付けの際にブラシサポート治具がスリップリングに当接しても、スリップリングに傷を付けることがなく、これにより回転電機における異音の発生やブラシの寿命低下等の不具合が生じることを防止できる。また、ブラシホルダとスリップリングとの距離を小さくすることにより、ブラシ組体を小型化することができる。
【００１３】
また、請求項２に記載のブラシサポート治具は、前記ブラシ組体の軸方向前後両端部のみにおいて前記ブラシの付勢力に抗して支持されることを特徴とする。
【００１４】
従って、ブラシサポート治具は、ブラシ組体の軸方向前後両端部のみにおいてブラシの付勢力に抗して支持されるので、支持金具等を別途設ける必要がなく、且つブラシに孔を開けてブラシを長くする必要もないため、ブラシホルダとスリップリングとの距離を小さくすることにより、ブラシ組体を小型化することができる。また、ブラシサポート治具を引き抜く際にブラシサポート治具がスリップリングに当接した場合でも、少なくともスリップリングに対向する面をそのスリップリングよりも硬度の低い材質により構成したので、スリップリングを傷つけることはない。
【００１５】
また、請求項３に記載のブラシサポート治具は、第１の部材と、その第１の部材及びスリップリングよりも硬度の低い材質からなる第２の部材とから構成され、その第２の部材は、前記第１の部材の少なくとも前記スリップリングに対向する面を覆うように設けられたことを特徴とする。
【００１６】
従って、第１の部材と、その第１の部材及びスリップリングよりも硬度の低い材質からなる第２の部材とから構成され、その第２の部材は、前記第１の部材の少なくとも前記スリップリングに対向する面を覆うように設けられているので、ブラシがスプリングにより押し出されても、スリップリングよりも硬度の低いブラシサポート治具の第２の部材がスリップリングに当接するので、スリップリングに傷を付けることがない。また、少なくともスリップリングに対向する面をそのスリップリングよりも硬度の低い材質により構成したブラシサポート治具を簡単且つ確実に製造することができる。
【００１７】
また、請求項４に記載のブラシサポート治具は、前記第１の部材が、金属材料からなり、前記第２の部材が、樹脂材料又はゴム材料からなることを特徴とする。
【００１８】
従って、第１の部材が金属材料からなるので、強度に優れており、スプリングにより付勢されるブラシの飛出しを確実に防止することができる。また、第２の部材が樹脂材料又はゴム材料からなるので、スリップリングに当接してもスリップリングを傷つけることがない。尚、かかる構成のブラシサポート治具は、例えば、鉄等の金属材料からなる第１の部材を、溶融樹脂又は溶融ゴム中に浸漬することにより第１の部材表面に第２の部材である樹脂材料又はゴム材料をコーティングすることにより製造することができる。
【００１９】
また、請求項５に記載のブラシサポート治具は、前記略ピン形状の先端部がＲ形状に形成されていることを特徴とする。
【００２０】
従って、略ピン形状の先端部がＲ形状に形成されているので、ブラシサポート治具のブラシ組体への挿入や引き抜きの際に、先端部によりスリップリングを傷つけることを防止できる。尚、第１の部材の先端部をＲ形状に形成する加工方法としては、線材の折り曲げ加工（折り曲げ部を先端部とする）や板材のプレス加工等を採用することができる。
【００２１】
また、請求項６に記載のブラシサポート治具は、金属材料からなる線材又は板材の先端部をＲ形状に形成するとともに、その線材又は板材上に樹脂材料又はゴム材料をコーティングしたものであることを特徴とする。
【００２２】
従って、先端部をＲ形状に形成した金属材料からなる線材又は板材上に樹脂材料又はゴム材料をコーティングしたので、先端部における樹脂材料又はゴム材料が破れにくくなり、先端部においてスリップリングを傷つけることを、より一層効果的に防止することができる。
【００２３】
また、請求項７に記載のブラシサポート治具は、前記ブラシホルダ又は前記スリップリングカバーにて軸方向と平行に同軸的に形成された複数の支持部により支持されるように構成されたことを特徴とする。
【００２４】
従って、ブラシサポート治具は、ブラシホルダ又はスリップリングカバーにて軸方向と平行に同軸的に形成された複数の支持部により支持されるように構成されているので、ブラシサポート治具が正確に位置決めされ、且つ確実に支持されて、ブラシの飛出しを確実に防止することができる。また、ブラシホルダ又はスリップリングカバーの成型時に、複数の貫通孔を軸方向と平行な方向に同軸的に形成し、これら複数の貫通孔にブラシサポート治具を挿通させて支持する構成とした場合には、支持金具等を別途設ける必要がなく、且つブラシに孔を開けてブラシを長くする必要もないため、ブラシ組体を小型化することができる。
【００２５】
また、請求項８に記載のブラシサポート治具は、前記ブラシ組体への挿入量を規制する規制部材を備えたことを特徴とする。
【００２６】
従って、ブラシ組体への挿入量を規制する規制部材を備えているので、ブラシサポート治具をブラシ組体へ正確に挿入することができる。また、ブラシ組体へ必要以上に挿入しようとして、ブラシ組体のブラシホルダ又はスリップリングホルダやブラシサポート治具自体が損傷することを防止できる。
【００２７】
また、請求項９に記載のブラシ組体をスリップリングの外周に組付ける方法は、前記スプリングの付勢力に抗して前記ブラシを押さえながら、前記ブラシ組体における前記ブラシホルダと前記スリップリングカバーとにより形成される空間部に前記ブラシサポート治具を挿入する工程と、前記ブラシ組体を前記スリップリングの外周に配置する工程と、前記ブラシサポート治具を前記ブラシ組体から引き抜いて前記ブラシを前記スリップリングの外周面に当接させる工程とを備えたことを特徴とする。
【００２８】
従って、ブラシ組体にブラシサポート治具を挿入してブラシの飛出しを防止した状態でブラシ組体をスリップリングの外周に配置し、その後、ブラシサポート治具を引き抜くことにより、ブラシ組体の組付けを容易に、且つ短時間に行うことができる。また、ブラシホルダとスリップリングとの距離が小さく設定された小型のブラシ組体の組付けを容易に行うことができる。
【００２９】
【発明の実施の形態】
以下、本発明のブラシサポート治具を適用した車両用交流発電機の実施形態について図面を参照しつつ説明する。
【００３０】
図１は、本実施形態のブラシサポート治具を挿入したブラシ組体を組付けた状態の車両用交流発電機の軸方向断面を示す要部拡大図である。
【００３１】
ブラシ組体２６は、図１に示すように、周方向に並設される一対の接続端子３０，３１が埋設される樹脂製のブラシホルダ２７と、一対のブラシ２８，２９と、接続端子３０，３１を電気的に接続するピグテール３２と、樹脂製のスリップリングカバー３３と、ブラシ２８，２９をそれぞれスリップリング３４，３５方向へ付勢するスプリング４４，４５等とから構成されている。
【００３２】
ブラシホルダ２７は、略箱形形状をなす部材であり、スリップリング３４，３５に対向する側面には、ブラシ収納部２７ａ，２７ｂと、ピグテール収納部２７ｃ，２７ｄと、スリップリングカバー３３の蓋部３３ｅの延伸部３３ｆが挿入される径方向溝２７ｅとがそれぞれ設けられている。また、ブラシホルダ２７には、軸方向後端部を塞ぐ蓋部２７ｆが形成されている。ピグテール３２は、銅粉かしめによりブラシ２８，２９に接続固定されており、ピグテール３２を径方向端部でブラシホルダ２７に埋設される接続端子３０，３１に半田付けすることにより、接続端子３０，３１に接続される他部品との電気的接続を図っている。ブラシ２８，２９は、後端に配設されるスプリング４４，４５によって付勢されてスリップリング２１，２２に押し当てられる。
【００３３】
また、ブラシホルダ２７とスリップリングカバー３３とは、ブラシホルダ２７の軸方向後端部を塞ぐ蓋部２７ｆに設けられた孔２７ｇに、スリップリングカバー３３の軸方向後端部に設けられて軸方向後方側へ突出する凸部３３ａが嵌合されることにより結合されている。
【００３４】
スリップリングカバー３３の軸方向後端部に設けられた凸部３３ａには軸方向に貫通する孔３３ｂが形成され、スリップリングカバー３３の軸方向前端部には軸方向前方側へ突出する凸部３３ｃが設けられ、孔３３ｂと同軸的に形成されて軸方向に貫通する孔３３ｄが形成されている。
【００３５】
ブラシサポート治具５１の直線部５１ａは、スリップリングカバー３３後端部の孔３３ｂから軸方向前方に向かって、ブラシホルダ２７とスリップリングカバー３３とから形成される空間部３３ｇ内に挿入され、先端部５１ｂがスリップリングカバー３３前端部の孔３３ｄに挿通される。つまり、ブラシサポート治具５１は、孔３３ｂ及び孔３３ｄのみを支持点としてスリップリングカバー３３により支持される構造となっている。よって、ブラシ２８，２９は、ブラシサポート治具５１の直線部５１ａに当接して、ブラシホルダ２７のブラシ収納部２７ａ，２７ｂ内に収納され、スリップリング３４，３５側への飛出しが防止される。尚、孔３３ｂ及び孔３３ｄが本発明の複数の支持部を構成するものである。
【００３６】
そして、ブラシサポート治具５１が挿入されたブラシ組体２６は、ブラシホルダ２７とスリップリングカバー３３とから形成されたリア側フレーム２側端部の円筒部分が、リア側フレーム２の回転軸貫通用の中心孔に嵌合されることにより車両用交流発電機Ａに組付けられる。
【００３７】
図２は、本実施形態のブラシサポート治具５１を使用してブラシ組体２６を組付けた車両用交流発電機Ａの軸方向断面図である。
【００３８】
アルミダイカスト製のフロント側フレーム１及びリア側フレーム２は共に椀状でで、その開口部同士を直接当接させて、複数個のボルト３により相互に固定されている。フロント側フレーム１の内周には、ステータ４が固定されている。ステータ４は、周知の如くステータコア５及びステータコイル６より構成されている。
【００３９】
回転子１０は、周知の如く界磁コイル１１、ポールコア１２，１３、シャフト１４等によって構成されており、フロント側フレーム１、リア側フレーム２にそれぞれ設けられた一対のボールベアリング７，８により回転自在に保持されている。ポールコア１２，１３の軸方向端面には遠心型の冷却ファン１７，１８が取付けられている。フロント側冷却ファン１７は、界磁コイル１１への冷却風を生成するように、ブレードが回転子１０の回転方向に対して前傾させた斜流式になっている。シャフト１４の前端には、プーリ１９がナット２０により結合されており、図示しない車両エンジンにより回転駆動される。リア側フレーム２の外側に位置するシャフト１４の後端には、一対のスリップリング３４，３５が設けられており、界磁コイル１１に導体２３を介して電気的に接続されている。
【００４０】
リア側フレーム２の外側の軸方向端面には、整流装置２４、電圧調整器２５及びブラシ組体２６等のいわゆる電気部品がボルト等の締結手段によって固定されている。電気部品は、冷却風導入窓がブラシ組体２６の周辺に同心円状に形成されている鋼板製、或いは、樹脂製のリアカバー１５により覆われている。
【００４１】
次に、本発明の第１の実施形態のブラシサポート治具５１について、図３及び図４を参照しつつ説明する。
【００４２】
図３は、ブラシ組体２６にブラシサポート治具５１を挿入した状態を示す外観斜視図、図４はブラシサポート治具５１の平面図である。
【００４３】
ブラシサポート治具５１は、全体が略ピン形状をなしている。ブラシサポート治具５１は、金属製の丸線材からなる本体５２と、本体５２の後述する直線部５２ａを覆うように設けられたコーティング部５３とからなる。そして、本体５２の直線部５２ａ及びそれを覆うコーティング部５３が、ブラシサポート治具５１の直線部５１ａをなし、その先端部分が先端部５１ｂをなしている。
【００４４】
本体５２は、直線部５２ａと、把手部５２ｂとからなる。直線部５２ａは、所定長さの直線状の丸線材をプレス曲げにより折り返して２本の直線部分が平行に隣接して並ぶ略ヘアピン形状をなす部分である。また、直線部５２ａの先端部５２ｃは、折り返し曲げによりＲ形状が形成されている。
【００４５】
また、直線部５２ａを覆うように、コーティング部５３が形成されている。コーティング部５３は、直線部５２ａを溶融樹脂中に浸漬することにより樹脂材料をコーティングした部分であり、先端部５３ａは丸線材からなる先端部５２ｃの形状に沿ってＲ形状となっている。尚、コーティング部５３を含む直線部５１ａの厚みは約１．５ｍｍ、幅は約３ｍｍである（丸線材部分である直線部５２ａの厚みは約１ｍｍ、幅は約２ｍｍである）。
【００４６】
コーティング部５３が形成された直線部５１ａは、ブラシ組体２６に挿入された状態では、スリップリングカバー３３の孔３３ｂ及び孔３３ｄによって支持され、ブラシ２８，２９が当接されることによりこれらの飛出しを防止する。
【００４７】
把手部５２ｂは、折り返された丸線材の両端を互いに離れる方向へＵ字状に折り曲げた部分である。把手部５２ｂは、ブラシサポート治具５１の挿入及び引き抜きを行う際に作業者の手で把持される。さらに、把手部５２ｂの端部５２ｄは、ブラシサポート治具５１がブラシ組体２６の軸方向後方側の孔３３ｂより挿入され、軸方向前方側の孔３３ｄに挿通された状態において、ブラシホルダ２７の蓋部２７ｆに当接する長さに切断されており、ブラシサポート治具５１の挿入量を規制するように構成されている。
【００４８】
次に、上述したブラシサポート治具５１を用いたブラシ組体２６の組付け方法について説明する。
【００４９】
まず、スプリング４４，４５の付勢力に抗してブラシ２８，２９を押さえながら軸方向後方側の孔部３３ｂより軸方向前方に向かってブラシサポート治具５１を挿入していき、把手部５２ｂの先端部５２ｄが蓋部２７ｆに当接した時点で挿入が完了する。
【００５０】
ブラシサポート治具５１の挿入が完了してスリップリングカバー３３の孔３３ｂ及び孔３３ｄによって支持されると、ブラシサポート治具５１によりブラシ２８，２９の飛出しが防止されるため、ブラシ組体２６の組付けスペースが確保される。
【００５１】
次に、シャフト１４の他方の端部側からブラシサポート治具５１が取付けられたブラシ組体２６をスリップリング３４，３５の外周に嵌め合わせて、ブラシ２８，２９がそれぞれスリップリング３４，３５の外周に配置される所定の位置でブラシ組体２６をリア側フレーム２に固定する。この時、ブラシサポート治具５１とスリップリング３４，３５との間は微小な間隙（両部材間の距離は約０．８ｍｍ）となっているが、ブラシサポート治具５１がスリップリング３４，３５に当接した場合でも、直線部５１ａは樹脂からなるコーティング部５３に覆われているためスリップリング３４，３５を傷つけることはない。
【００５２】
続いて、ブラシ組体２６からブラシサポート治具５１を軸方向に引き抜いて、それまでブラシサポート治具５１で押さえられていたブラシ２８，２９をスリップリング３４，３５の外周面に当接させる。ここで、ブラシサポート治具５１を引き抜く際にブラシサポート治具５１がスリップリング３４，３５に当接した場合でも、直線部５１ａは樹脂からなるコーティング部５３に覆われているためスリップリング３４，３５を傷つけることはない。
【００５３】
以上の工程を経て、ブラシ組体２６の組付けを完了する。
【００５４】
次に、上述した構成を有するブラシサポート治具５１の作用及び効果について説明する。
【００５５】
ブラシサポート治具５１のスリップリング３４，３５に対向する面である直線部５１ａに、スリップリング３４，３５よりも硬度の低い材質である樹脂をコーティングしたので、ブラシ組体２６の組付けの際にブラシサポート治具５１がスリップリング３４，３５に当接しても、スリップリング３４，３５に傷を付けることがなく、これにより車両用交流発電機Ａにおける異音の発生やブラシ２８，２９の寿命低下等の不具合が生じることを防止できる。また、ブラシホルダ２７とスリップリング３４，３５との距離を小さくすることにより、ブラシ組体２６を小型化することができる。
【００５６】
また、ブラシサポート治具５１の全体が略ピン形状に形成されているので、簡単な構造で確実にブラシ２８，２９の飛出しを防止でき、且つ安価に製造することができる。また、ブラシサポート治具を円筒状に形成した従来例のように、ブラシ組体のスリップリング後方側端面を大きく開放させる必要が無いため、開放部を塞ぐためのシールゴムが不要となり、シールゴムとの間に隙間が形成される等の不具合が無く、安定したシール性を得ることができる。
【００５７】
また、略ピン形状の先端部５３ａがＲ形状に形成されているので、ブラシサポート治具５１のブラシ組体２６への挿入や引き抜きの際に、先端部５３ａによりスリップリング３４，３５を傷つけることを防止できる。
【００５８】
また、先端部５２ｃをＲ形状に形成した金属材料からなる線材上に樹脂材料をコーティングしたので、先端部５３ａにおける樹脂材料が破れにくくなり、先端部５３ａにおいてスリップリング３４，３５を傷つけることを、より一層効果的に防止することができる。
【００５９】
また、ブラシサポート治具５１は、スリップリングカバー３３にて軸方向と平行に同軸的に形成された複数の孔３３ｂ、３３ｄに挿通されるように構成されているので、ブラシサポート治具５１が正確に位置決めされ、且つ確実に支持されて、ブラシ２８，２９の飛出しを確実に防止することができる。また、スリップリングカバー３３の成型時に、孔３３ｂ、３３ｄが形成されるので、支持金具等を別途設ける必要がなく、且つブラシに孔を開けてブラシを長くする必要もないため、ブラシ組体を小型化することができる。
【００６０】
また、把手部５２ｂの先端部５２ｄが、ブラシ組体２６への挿入量を規制する規制部材として機能するので、ブラシサポート治具５１をブラシ組体２６へ正確に挿入することができる。また、ブラシ組体２６へ必要以上に挿入しようとして、ブラシ組体２６のブラシホルダ２７又はスリップリングホルダ３３やブラシサポート治具５１自体が損傷することを防止できる。
【００６１】
次に、本発明の第２の実施形態におけるブラシサポート治具６１について図５を参照しつつ説明する（ブラシサポート治具６１をブラシ組体２６へ挿入した状態については、図１参照）。
【００６２】
本実施形態のブラシサポート治具６１は、金属製の丸線材に代えて、金属製の平板状の板材を用いて本体６２を形成し、全体を略ピン形状に加工したものである。ブラシサポート治具６１も、上述した第１の実施形態と同様、直線部６２ａを覆うように樹脂材料からなるコーティング部６３が設けられている。そして、本体６２の直線部６２ａ及びそれを覆うコーティング部６３が、ブラシサポート治具６１の直線部６１ａをなし、その先端部分が先端部６１ｂをなしている。
【００６３】
直線部６２ａの先端部６２ｃはプレス加工によりＲ形状が形成されている。従って、コーティング部６３の先端部６３ａも先端部６２ｃに沿ってＲ形状に形成される。一方、直線部６２ａ後端側には把手部６２ｂが設けられている。把手部６２ｂは、直線部６２ａ及び孔３３ｂの直径よりも幅広の略矩形状に形成されており、作業者が手で掴みやすくなっているとともに、直線部６１ａがブラシ組体２６へ過度に挿入されることを防止する役割を有している。
【００６４】
尚、本発明は上述した各実施形態に限定されるものではなく、本発明の主旨を逸脱しない範囲で種々の変更を施すことが可能である。
【００６５】
例えば、前記各実施形態では、本体５２，６２を鉄等の金属材料により構成したが、スプリング４４，４５により付勢されたブラシ２８，２９が当接することによって変形が生じない程度の強度が確保できれば、他の材質により構成しても構わない。
【００６６】
また、前記各実施形態では、コーティング部５３，６３を樹脂材料により形成したが、ゴム材料により形成しても構わない。要するに、スリップリングに傷をつけない材質、すなわち、スリップリングよりも硬度の低い材質を用いればよいのである。
【００６７】
また、前記各実施形態では、本体５２、６２の直線部５２ａ、６２ａ全体を覆うようにコーティング部５３，６３を設けたが、スリップリング３４，３５に対向する面のみに設けても構わない。更に、把手部５２ｂ、６２ｂを含む本体５２，６２全体を覆うようにコーティング部５３，６３を設けても構わないことは勿論である。
【００６８】
また、前記第２の実施形態では、本体６２を金属製の平板を用いて細長いピン形状としたが、本体の幅を周方向に広げるとともにスリップリング３４，３５の外周（又は、ブラシ２８，２９下端の摺接面の形状）に沿うように円弧状に湾曲したピン形状（円筒形を軸方向に分割して得られる半円筒形など）としても構わない。
【００６９】
また、前記各実施形態では、孔３３ｂ及び孔３３ｄを支持点としてブラシサポート治具５１，６１を支持するようにしたが、更に多くの支持点をブラシホルダ２７又はスリップリングカバー３３に設ける構成としてもよい。
【００７０】
【発明の効果】
以上述べたように本発明の請求項１に記載のブラシサポート治具によれば、簡単な構造で確実にブラシの飛出しを防止でき、且つ安価に製造することができるという効果を奏する。また、ブラシサポート治具を円筒状に形成した場合のように、ブラシ組体のスリップリング後方側端面を大きく開放させる必要が無いため、開放部を塞ぐためのシールゴムが不要となり、シールゴムとの間に隙間が形成される等の不具合が無く、安定したシール性を得ることができるという効果を奏する。また、ブラシ組体の組付けの際にブラシサポート治具がスリップリングに当接しても、スリップリングに傷を付けることがなく、これにより回転電機における異音の発生やブラシの寿命低下等の不具合が生じることを防止できるという効果を奏する。また、ブラシホルダとスリップリングとの距離を小さくすることにより、ブラシ組体を小型化することができるという効果をも奏する。
【００７１】
また、請求項２に記載のブラシサポート治具によれば、支持金具等を別途設ける必要がなく、且つブラシに孔を開けてブラシを長くする必要もないため、ブラシホルダとスリップリングとの距離を小さくすることにより、ブラシ組体を小型化することができるという効果を奏する。また、ブラシサポート治具を引き抜く際にブラシサポート治具がスリップリングに当接した場合でも、少なくともスリップリングに対向する面をそのスリップリングよりも硬度の低い材質により構成したので、スリップリングを傷つけることはないという効果を奏する。
【００７２】
また、請求項３に記載のブラシサポート治具によれば、ブラシがスプリングにより押し出されても、スリップリングよりも硬度の低いブラシサポート治具の第２の部材がスリップリングに当接するので、スリップリングに傷を付けることがないという効果を奏する。また、少なくともスリップリングに対向する面をそのスリップリングよりも硬度の低い材質により構成したブラシサポート治具を簡単且つ確実に製造することができるという効果をも奏する。
【００７３】
また、請求項４に記載のブラシサポート治具によれば、強度に優れた第１の部材により、スプリングによって付勢されるブラシの飛出しを確実に防止することができるとともに、樹脂材料又はゴム材料からなる第２の部材がスリップリングに当接してもスリップリングを傷つけることがないという効果を奏する。
【００７４】
また、請求項５に記載のブラシサポート治具によれば、ブラシサポート治具のブラシ組体への挿入や引き抜きの際に、先端部によりスリップリングを傷つけることを防止できるという効果を奏する。
【００７５】
また、請求項６に記載のブラシサポート治具によれば、先端部における樹脂材料又はゴム材料が破れにくくなり、先端部においてスリップリングを傷つけることを、より一層効果的に防止することができる。
【００７６】
また、請求項７に記載のブラシサポート治具によれば、ブラシサポート治具が正確に位置決めされ、且つ確実に支持されて、ブラシの飛出しを確実に防止することができるという効果を奏する。
【００７７】
また、請求項８に記載のブラシサポート治具によれば、ブラシサポート治具をブラシ組体へ正確に挿入することができるとともに、ブラシ組体へ必要以上に挿入しようとして、ブラシ組体のブラシホルダ又はスリップリングホルダやブラシサポート治具自体が損傷することを防止できるという効果を奏する。
【００７８】
また、請求項９に記載のブラシ組体をスリップリングの外周に組付ける方法によれば、ブラシ組体の組付けを容易に、且つ短時間に行うことができるとともに、特に、ブラシホルダとスリップリングとの距離が小さく設定された小型のブラシ組体の組付けを容易に行うことができるという効果を奏する。
【図面の簡単な説明】
【図１】  本発明の実施形態におけるブラシサポート治具が挿入されたブラシ組体を組付けた車両用交流発電機の軸方向断面を示す要部拡大図である。
【図２】  ブラシサポート治具を使用してブラシ組体を組付けた車両用交流発電機の軸方向断面図である。
【図３】  ブラシ組体にブラシサポート治具を挿入した状態を示す斜視図である。
【図４】  第１の実施形態におけるブラシサポート治具の平面図である。
【図５】  第２の実施形態におけるブラシサポート治具の平面図である。
【図６】  従来例におけるブラシサポート治具が挿入されたブラシ組体を組付けた車両用交流発電機の軸方向断面を示す要部拡大図である。
【符号の説明】
Ａ…車両用交流発電機（回転電機）、１４…シャフト（回転軸）、２６…ブラシ組体、２７…ブラシホルダ、２８，２９…ブラシ、３３…スリップリングカバー、３３ｂ，３３ｄ…孔（複数の支持部）、３４，３５…スリップリング、４４，４５…スプリング、５１…ブラシサポート治具、５１ａ…直線部、５１ｂ…先端部、５２…本体（第１の部材）、５２ａ…直線部、５２ｂ…把手部（規制部材）、５２ｃ…先端部、５２ｄ…端部（規制部材）、５３…コーティング部（第２の部材）、５３ａ…先端部、６１…ブラシサポート治具、６１ａ…直線部、６１ｂ…先端部、６２…本体、６２ａ…直線部、６２ｂ…把手部（規制部材）、６２ｃ…先端部、６３…コーティング部、６３ａ…先端部。
【図１】
0003661655.tif 000002
【図２】
0003661655.tif 000003
【図３】
0003661655.tif 000004
【図４】
0003661655.tif 000005
【図５】
0003661655.tif 000006
【図６】
0003661655.tif 000007